(57)【要約】【課題】液体収容部が過度に加熱される虞を低減できる液体吐出装置、記録システムを提供する。【解決手段】搬送経路２６に沿って媒体１２を搬送する搬送部２７と、搬送される媒体１２に対してノズル３３から液体を吐出して記録を行う液体吐出ヘッド３４と、液体吐出ヘッド３４に供給する液体を収容する液体収容部４１が装着される装着部４２と、記録が行われた媒体１２を加熱する第１加熱部４８と、を備え、搬送経路２６は、鉛直方向Ｚにおいて装着部４２の上方に位置する上方経路２６ｆを含み、搬送部２７は、記録が行われた媒体１２を搬送して上方経路２６ｆを通過させ、媒体１２に対して処理を行う媒体処理装置１４に向けて媒体１２を排出口５０から排出し、第１加熱部４８は、鉛直方向Ｚにおいて装着部４２より上方に設けられ、上方経路２６ｆを搬送される媒体１２を加熱する。【選択図】図２
2020192779.tif 000002
【特許請求の範囲】
【請求項１】
搬送経路に沿って媒体を搬送する搬送部と、
搬送される前記媒体に対してノズルから液体を吐出して記録を行う液体吐出ヘッドと、
前記液体吐出ヘッドに供給する前記液体を収容する液体収容部が装着される装着部と、
前記記録が行われた前記媒体を加熱する加熱部と、
を備え、
前記搬送経路は、鉛直方向において前記装着部の上方に位置する上方経路を含み、
前記搬送部は、前記記録が行われた前記媒体を搬送して前記上方経路を通過させ、該媒体に対して処理を行う媒体処理装置に向けて該媒体を排出口から排出し、
前記加熱部は、前記鉛直方向において前記装着部より上方に設けられ、前記上方経路を搬送される前記媒体を加熱することを特徴とする液体吐出装置。
【請求項２】
前記加熱部は、前記鉛直方向において前記装着部と前記上方経路との間に設けられることを特徴とする請求項１に記載の液体吐出装置。
【請求項３】
前記加熱部、前記上方経路および前記排出口を含んで構成される加熱ユニットと、
前記液体吐出ヘッドを含んで構成される記録ユニットと、
を有し、
前記搬送経路は、
前記液体吐出ヘッドにより前記記録が行われる記録経路と、
前記搬送部が前記媒体を搬送する搬送方向において前記記録経路より下流に位置する下流経路と、
前記下流経路と前記上方経路とを結ぶ接続経路と、
を含み、
前記加熱ユニットは、前記記録ユニットに対して着脱可能であり、
前記加熱ユニットが含む前記接続経路は、前記記録ユニットが含む前記下流経路に対して切り離し可能に接続されることを特徴とする請求項１又は請求項２に記載の液体吐出装置。
【請求項４】
前記液体吐出ヘッドを収容する筐体をさらに備え、
前記筐体は、
第１側面と、
水平方向において前記第１側面とは反対の第２側面と、
を有し、
前記液体吐出ヘッドは、前記水平方向において前記第１側面よりも前記第２側面に近い位置で前記媒体に対して前記記録を行い、
前記加熱部は、前記水平方向において前記第２側面よりも前記第１側面に近い位置に設けられることを特徴とする請求項１〜請求項３のうち何れか一項に記載の液体吐出装置。
【請求項５】
前記液体吐出ヘッドを払拭可能な払拭部をさらに備え、
前記払拭部は、前記液体吐出ヘッドと相対移動して前記液体吐出ヘッドを払拭し、
前記払拭部が前記液体吐出ヘッドから離れて待機する待機位置は、前記鉛直方向において前記装着部より下方に位置し、
前記待機位置に位置する前記払拭部は、前記鉛直方向において前記装着部と重なることを特徴とする請求項１〜請求項４のうち何れか一項に記載の液体吐出装置。
【請求項６】
前記液体吐出ヘッドとの間に前記ノズルが開口する閉空間を形成可能なキャップをさらに備え、
前記キャップは、前記閉空間を形成する閉空間形成位置と、該閉空間形成位置から離れる退避位置と、の間を移動可能であり、
前記退避位置は、前記鉛直方向において前記装着部より下方に位置し、
前記退避位置に位置する前記キャップは、前記鉛直方向において前記装着部と重なることを特徴とする請求項１〜請求項５のうち何れか一項に記載の液体吐出装置。
【請求項７】
媒体に対して記録を行う液体吐出装置と、
前記液体吐出装置により前記記録が行われた前記媒体に対して処理を行う処理部を備える媒体処理装置と、
を備え、
前記液体吐出装置は、
搬送経路に沿って前記媒体を搬送する搬送部と、
搬送される前記媒体に対してノズルから液体を吐出して前記記録を行う液体吐出ヘッドと、
前記液体吐出ヘッドに供給する前記液体を収容する液体収容部が装着される装着部と、
前記記録が行われた前記媒体を加熱する加熱部と、
を有し、
前記搬送経路は、鉛直方向において前記装着部の上方に位置する上方経路を含み、
前記搬送部は、前記記録が行われた前記媒体を搬送して前記上方経路を通過させ、前記媒体処理装置に向けて該媒体を排出口から排出し、
前記加熱部は、前記鉛直方向において前記装着部より上方に設けられ、前記上方経路を搬送される前記媒体を加熱することを特徴とする記録システム。
【請求項８】
前記液体吐出装置は、
前記加熱部、前記上方経路および前記排出口を含んで構成される加熱ユニットと、
前記液体吐出ヘッドを含んで構成される記録ユニットと、
を有し、
前記搬送経路は、
前記液体吐出ヘッドにより前記記録が行われる記録経路と、
前記搬送部が前記媒体を搬送する搬送方向において前記記録経路より下流に位置する下流経路と、
前記下流経路と前記上方経路とを結ぶ接続経路と、
を含み、
前記加熱ユニットは、前記記録ユニットに対して着脱可能であり、
前記加熱ユニットが含む前記接続経路は、前記記録ユニットが含む前記下流経路に対して切り離し可能に接続されることを特徴とする請求項７に記載の記録システム。
【請求項９】
前記加熱部は、前記鉛直方向において前記装着部と前記上方経路との間に設けられることを特徴とする請求項７又は請求項８に記載の記録システム。
【請求項１０】
前記液体吐出装置は、前記液体吐出ヘッドを収容する筐体をさらに有し、
前記筐体は、
第１側面と、
水平方向において前記第１側面とは反対の第２側面と、
を有し、
前記液体吐出ヘッドは、前記水平方向において前記第１側面よりも前記第２側面に近い位置で前記媒体に対して前記記録を行い、
前記加熱部は、前記水平方向において前記第２側面よりも前記第１側面に近い位置に設けられることを特徴とする請求項７〜請求項９のうち何れか一項に記載の記録システム。
【請求項１１】
前記液体吐出装置は、前記液体吐出ヘッドを払拭可能な払拭部をさらに有し、
前記払拭部は、前記液体吐出ヘッドと相対移動して該液体吐出ヘッドを払拭し、
前記払拭部が前記液体吐出ヘッドから離れて待機する待機位置は、前記鉛直方向において前記装着部より下方に位置し、
前記待機位置に位置する前記払拭部は、前記鉛直方向において前記装着部と重なることを特徴とする請求項７〜請求項１０のうち何れか一項に記載の記録システム。
【請求項１２】
前記液体吐出装置は、前記ノズルが開口する閉空間を形成可能なキャップをさらに有し、
前記キャップは、前記閉空間を形成する閉空間形成位置と、該閉空間形成位置から離れる退避位置と、の間を移動可能であり、
前記退避位置は、前記鉛直方向において前記装着部より下方に位置し、
前記退避位置に位置する前記キャップは、前記鉛直方向において前記装着部と重なることを特徴とする請求項７〜請求項１１のうち何れか一項に記載の記録システム。
【請求項１３】
前記加熱部は、前記処理部が前記媒体に対して前記処理を行う場合に前記媒体を加熱し、
前記処理部は、加熱された前記媒体に前記処理を行うことを特徴とする請求項７〜請求項１２のうち何れか一項に記載の記録システム。
【請求項１４】
前記媒体処理装置は、前記媒体のうち、
前記処理部による前記処理が実行されない媒体を積載する第１積載部と、
前記処理部により前記処理が実行された媒体を積載する第２積載部と、
を有することを特徴とする請求項７〜請求項１３のうち何れか一項に記載の記録システム。
【請求項１５】
前記加熱部を第１加熱部としたとき、
前記媒体処理装置は、前記液体吐出装置から排出される前記媒体を導入する導入口と前記処理部との間の導入経路を搬送される前記媒体を加熱する第２加熱部を有することを特徴とする請求項７〜請求項１４のうち何れか一項に記載の記録システム。
【発明の詳細な説明】
【技術分野】
【０００１】
本発明は、プリンターなどの液体吐出装置、液体吐出装置を備える記録システムに関する。
【背景技術】
【０００２】
例えば特許文献１のように、液体収容部の一例である液体収容体から供給された液体の一例であるインクを、液体吐出ヘッドの一例である印刷ヘッドから噴射して印刷する液体吐出装置の一例であるプリンターがある。プリンターは、インクが付着した媒体の一例である用紙を乾燥させる加熱部の一例である乾燥部を備える。
【０００３】
液体収容体は、乾燥部よりも上方に設けられる。そのため、液体収容体は、乾燥部により暖められて上方に移動する空気により加熱されていた。
【先行技術文献】
【特許文献】
【０００４】
【特許文献１】特開２０１７−１３２４０号公報
【発明の概要】
【発明が解決しようとする課題】
【０００５】
液体収容部は、適度に加熱されると、収容する液体の粘度が低下して供給しやすくなる。しかし、液体収容部は、過度に加熱されてしまうと、収容する液体の蒸発量が多くなってしまう虞があった。
【課題を解決するための手段】
【０００６】
上記課題を解決する液体吐出装置は、搬送経路に沿って媒体を搬送する搬送部と、搬送される前記媒体に対してノズルから液体を吐出して記録を行う液体吐出ヘッドと、前記液体吐出ヘッドに供給する前記液体を収容する液体収容部が装着される装着部と、前記記録が行われた前記媒体を加熱する加熱部と、を備え、前記搬送経路は、鉛直方向において前記装着部の上方に位置する上方経路を含み、前記搬送部は、前記記録が行われた前記媒体を搬送して前記上方経路を通過させ、該媒体に対して処理を行う媒体処理装置に向けて該媒体を排出口から排出し、前記加熱部は、前記鉛直方向において前記装着部より上方に設けられ、前記上方経路を搬送される前記媒体を加熱する。
【０００７】
上記課題を解決する記録システムは、媒体に対して記録を行う液体吐出装置と、前記液体吐出装置により前記記録が行われた前記媒体に対して処理を行う処理部を備える媒体処理装置と、を備え、前記液体吐出装置は、搬送経路に沿って前記媒体を搬送する搬送部と、搬送される前記媒体に対してノズルから液体を吐出して前記記録を行う液体吐出ヘッドと、前記液体吐出ヘッドに供給する前記液体を収容する液体収容部が装着される装着部と、前記記録が行われた前記媒体を加熱する加熱部と、を備え、前記搬送経路は、鉛直方向において前記装着部の上方に位置する上方経路を含み、前記搬送部は、前記記録が行われた前記媒体を搬送して前記上方経路を通過させ、前記媒体処理装置に向けて該媒体を排出口から排出し、前記加熱部は、前記鉛直方向において前記装着部より上方に設けられ、前記上方経路を搬送される前記媒体を加熱する。
【図面の簡単な説明】
【０００８】
【図１】記録システムの一実施形態の概略斜視図。
【図２】記録システムの一実施形態の模式断面図。
【図３】記録システムの第１変更例の模式断面図。
【図４】記録システムの第２変更例の模式断面図。
【図５】記録システムの第３変更例の模式断面図。
【図６】記録システムの第４変更例の模式断面図。
【図７】記録システムの第５変更例の模式断面図。
【図８】記録システムの第６変更例の模式断面図。
【発明を実施するための形態】
【０００９】
以下、液体吐出装置を備える記録システムの一実施形態を、図面を参照して説明する。液体吐出装置は、例えば、用紙などの媒体に液体の一例であるインクを吐出し、媒体に文字や画像を印刷するインクジェット式のプリンターである。
【００１０】
図面では、記録システム１１が水平面上に置かれているものとして重力の方向をＺ軸で示し、水平面に沿う方向をＸ軸とＹ軸で示す。Ｘ軸、Ｙ軸、及びＺ軸は、互いに直交する。以下の説明では、Ｘ軸と平行な方向を幅方向Ｘ、Ｙ軸と平行な方向を水平方向Ｙ、Ｚ軸と平行な方向を鉛直方向Ｚともいう。
【００１１】
図１に示すように、記録システム１１は、媒体１２に対して記録を行う液体吐出装置１３と、液体吐出装置１３により記録が行われた媒体１２に対して処理を行う媒体処理装置１４と、を備える。液体吐出装置１３及び媒体処理装置１４は、水平方向Ｙに並んで設けられる。
【００１２】
液体吐出装置１３は、媒体１２に記録を行う記録ユニット１６と、記録された媒体１２を加熱する加熱ユニット１７と、を有してもよい。加熱ユニット１７は、記録ユニット１６に対して着脱可能に設けてもよい。
【００１３】
記録ユニット１６は、ユーザーにより操作される操作部１９と、媒体１２を積層した状態で収容可能なカセット２０と、を備えてもよい。記録ユニット１６は、鉛直方向Ｚに並ぶ複数のカセット２０を備えてもよい。カセット２０は、筐体２１から引き出し可能に設けてもよい。筐体２１は、第１側面２１ａと、水平方向Ｙにおいて第１側面２１ａとは反対の第２側面２１ｂと、を有する。第１側面２１ａは、媒体処理装置１４と隣り合う面である。
【００１４】
媒体処理装置１４は、媒体１２に対して処理を行う処理部２３を備える。媒体処理装置１４は、液体吐出装置１３から送られた媒体１２のうち、処理部２３による処理が実行されない媒体１２を積載する第１積載部２４ａと、処理部２３による処理が実行された媒体１２を積載する第２積載部２４ｂと、を備えてもよい。本実施形態の処理部２３は、複数の媒体１２をステープルで綴じるステープラー処理を行う。
【００１５】
図２に示すように、記録システム１１には、液体吐出装置１３が備えるカセット２０から、媒体処理装置１４が備える第１積載部２４ａもしくは第２積載部２４ｂまで続く図２に二点鎖線で示す搬送経路２６が設けられている。記録システム１１は、搬送経路２６に沿って媒体１２を搬送する搬送部２７を備える。
【００１６】
搬送部２７は、カセット２０に収容された媒体１２のうち、最上位の媒体１２を送り出すピックアップローラー２９と、ピックアップローラー２９により給送される媒体１２を搬送方向ＦＤに搬送する複数の搬送ローラー対３０と、を備えてもよい。複数の搬送ローラー対３０は、搬送経路２６に沿って配置される。
【００１７】
搬送部２７は、搬送ローラー対３０を駆動する搬送モーター３１を液体吐出装置１３と媒体処理装置１４にそれぞれ設けてもよいし、液体吐出装置１３に設けられる搬送モーター３１により媒体処理装置１４に設けられる搬送ローラー対３０を駆動してもよい。搬送部２７は、１つの搬送モーター３１により複数の搬送ローラー対３０を回転させてもよいし、複数の搬送モーター３１を備えてもよい。搬送部２７は、搬送方向ＦＤの上流に位置するカセット２０から、搬送方向ＦＤの下流に位置する第１積載部２４ａもしくは第２積載部２４ｂに向かって媒体１２を搬送する。
【００１８】
搬送経路２６は、上流経路２６ａ、記録経路２６ｂ、下流経路２６ｃ、反転経路２６ｄ、接続経路２６ｅ、上方経路２６ｆ、排出経路２６ｇ、導入経路２６ｈ、第１導出経路２６ｉ、及び第２導出経路２６ｊを含む。記録ユニット１６は、上流経路２６ａ、記録経路２６ｂ、下流経路２６ｃ、及び反転経路２６ｄを有する。加熱ユニット１７は、接続経路２６ｅ、上方経路２６ｆ、及び排出経路２６ｇを有する。媒体処理装置１４は、導入経路２６ｈ、第１導出経路２６ｉ、及び第２導出経路２６ｊを有する。
【００１９】
記録ユニット１６は、搬送される媒体１２に対してノズル３３から液体を吐出して記録を行う液体吐出ヘッド３４を備える。換言すると、記録ユニット１６は、液体吐出ヘッド３４を含んで構成され、記録ユニット１６が備える筐体２１は、液体吐出ヘッド３４を収容する。本実施形態の液体吐出ヘッド３４は、幅方向Ｘに亘って液体を同時に吐出可能な所謂ラインヘッドである。液体吐出ヘッド３４は、ノズル３３が形成されるノズル形成面３５を有する。記録ユニット１６は、液体吐出ヘッド３４を保持する保持部３６と、保持部３６を回転可能に支持する回転軸３７と、を備えてもよい。
【００２０】
液体吐出ヘッド３４は、保持部３６が回転軸３７を中心に回転することにより、回転軸３７を中心として移動する。図２に二点鎖線で示すメンテナンス位置ＭＰに位置する液体吐出ヘッド３４は、図２において時計回り方向に移動して図２に実線で示す吐出位置ＪＰに至る。吐出位置ＪＰに位置する液体吐出ヘッド３４は、図２において反時計回り方向に移動してメンテナンス位置ＭＰに戻る。
【００２１】
搬送経路２６において、吐出位置ＪＰに位置する液体吐出ヘッド３４と対向する部分が記録経路２６ｂである。すなわち、記録経路２６ｂは、液体吐出ヘッド３４により記録が行われる経路である。上流経路２６ａは、搬送方向ＦＤにおいて記録経路２６ｂより上流に位置し、カセット２０と記録経路２６ｂとを結ぶ。下流経路２６ｃは、搬送方向ＦＤにおいて記録経路２６ｂより下流に位置し、記録経路２６ｂと搬出口３９とを結ぶ。
【００２２】
反転経路２６ｄは、下流経路２６ｃと上流経路２６ａとを結ぶ経路である。媒体１２の両面に画像を記録する所謂両面印刷を行う場合、液体吐出ヘッド３４は、まずカセット２０から送られる媒体１２の表面に記録を行う。記録経路２６ｂを通過した媒体１２は、反転経路２６ｄを通って上流経路２６ａに戻される。液体吐出ヘッド３４は、再び記録経路２６ｂを搬送される媒体１２の裏面に液体を吐出して記録する。
【００２３】
記録経路２６ｂの下流側に、下流経路２６ｃと並行して延びるスイッチバック経路を設け、このスイッチバック経路と上流経路２６ａとを結ぶ経路を反転経路２６ｄとしてもよい。下流経路２６ｃとは別にスイッチバック経路を設けることで、両面印刷時に記録経路２６ｂで片面に画像が記録された媒体１２を、スイッチバック経路を介して反転経路２６ｄに搬送させている時にも、次の媒体１２を下流経路２６ｃ側に搬送させることができるようになる。これにより、両面印刷時のスループット低下を抑制することができる。
【００２４】
吐出位置ＪＰに位置する液体吐出ヘッド３４は、ノズル形成面３５が水平面に対して傾く第１姿勢をとる。メンテナンス位置ＭＰに位置する液体吐出ヘッド３４は、ノズル形成面３５の水平面に対する傾きが第１姿勢よりも小さい第２姿勢をとる。第２姿勢では、ノズル形成面３５を水平面と一致させてもよい。
【００２５】
吐出位置ＪＰに位置する液体吐出ヘッド３４は、第１姿勢のままノズル３３から液体を吐出して媒体１２に記録する。吐出位置ＪＰに位置する液体吐出ヘッド３４は、水平方向Ｙにおいて第１側面２１ａよりも第２側面２１ｂに近い位置で媒体１２に対して記録を行ってもよい。液体吐出装置１３は、ノズル形成面３５に対して垂直な方向に液体を吐出する。そのため、液体吐出ヘッド３４が記録のために液体を吐出する吐出方向は、鉛直方向Ｚとは異なる。
【００２６】
記録ユニット１６は、液体吐出ヘッド３４に供給する液体を収容する液体収容部４１が装着される装着部４２を備える。液体収容部４１は、交換可能なカートリッジとしてもよいし、液体を補給可能なタンクとしてもよい。
【００２７】
装着部４２には、それぞれ異なる種類の液体を収容する複数の液体収容部４１を装着してもよい。種類の異なる液体としては、色の異なるインクがある。本実施形態の装着部４２には、ブラック用の第１液体収容部４１ａと、カラー用の第２液体収容部４１ｂと、が装着可能である。第１液体収容部４１ａと第２液体収容部４１ｂは、収容可能な液体の量が異なっていてもよい。
【００２８】
記録ユニット１６は、液体吐出ヘッド３４を払拭可能な払拭部４４と、液体吐出ヘッド３４との間にノズル３３が開口する閉空間を形成可能なキャップ４５と、払拭部４４及びキャップ４５を移動可能に支持する支持部４６と、を備えてもよい。支持部４６は、払拭部４４及びキャップ４５それぞれに設けてもよい。
【００２９】
払拭部４４は、液体吐出ヘッド３４と相対移動して液体吐出ヘッド３４を払拭する。具体的には、払拭部４４は、液体吐出ヘッド３４から離れて待機する図２に実線で示す待機位置から水平方向Ｙに移動してノズル形成面３５を払拭する。待機位置は、鉛直方向Ｚにおいて装着部４２より下方に位置してもよい。ここで、払拭部４４は、図２に二点鎖線で示す位置から図２に実線で示す位置に向かう方向、すなわち、−Ｙ方向に移動してノズル形成面３５を払拭するようにしてもよい。
【００３０】
キャップ４５は、図２に二点鎖線で示す閉空間形成位置と、図２に実線で示す退避位置と、の間を移動可能に設けてもよい。閉空間形成位置は、メンテナンス位置ＭＰに位置する液体吐出ヘッド３４との間に閉空間を形成する位置である。退避位置は、閉空間形成位置から離れる位置である。退避位置は、鉛直方向Ｚにおいて装着部４２より下方に位置してもよい。
【００３１】
待機位置に位置する払拭部４４と、退避位置に位置するキャップ４５は、鉛直方向Ｚにおいて装着部４２と重なってもよい。すなわち、払拭部４４とキャップ４５は、少なくとも一部が幅方向Ｘにおいて装着部４２と同じ位置に位置してもよい。払拭部４４とキャップ４５は、少なくとも一部が水平方向Ｙにおいて装着部４２と同じ位置に位置してもよい。
【００３２】
加熱ユニット１７は、記録が行われた媒体１２を加熱する第１加熱部４８を備える。換言すると、加熱ユニット１７は、第１加熱部４８を含んで構成される。第１加熱部４８は、水平方向Ｙにおいて第２側面２１ｂよりも第１側面２１ａに近い位置に設けてもよい。第１加熱部４８は、吐出位置ＪＰに位置する第１姿勢の液体吐出ヘッド３４に対し、ノズル形成面３５が向く方向とは反対の方向に設けるのが好ましい。さらに、この場合には、ノズル形成面３５に直交する仮想線上に第１加熱部４８を設けるのがより好ましい。このように第１加熱部４８を設けると、第１加熱部４８から放たれる熱が液体吐出ヘッド３４に伝わりにくくなり、液体吐出ヘッド３４内の液体の蒸発を抑制できる。
【００３３】
加熱ユニット１７は、鉛直方向Ｚにおいて装着部４２の上方の位置に設けられる。加熱ユニット１７が含む接続経路２６ｅは、記録ユニット１６が含む下流経路２６ｃに対して切り離し可能に接続される。加熱ユニット１７は、搬出口３９に搬入口４９の位置を合わせて設けられることで、下流経路２６ｃと接続経路２６ｅとが接続される。下流経路２６ｃと接続経路２６ｅとが接続された状態とは、下流経路２６ｃから接続経路２６ｅに媒体１２が搬送可能な状態である。接続経路２６ｅは、加熱ユニット１７が記録ユニット１６に対して取り外されることで、下流経路２６ｃから切り離される。
【００３４】
加熱ユニット１７は、搬入口４９、接続経路２６ｅ、上方経路２６ｆ、排出経路２６ｇ、及び排出口５０を含んで構成してもよい。接続経路２６ｅは、搬入口４９と上方経路２６ｆとを結ぶ経路である。すなわち、加熱ユニット１７が記録ユニット１６に装着された状態では、接続経路２６ｅは、下流経路２６ｃと上方経路２６ｆとを結ぶ。上方経路２６ｆは、鉛直方向Ｚにおいて装着部４２の上方に位置する部分である。排出経路２６ｇは、上方経路２６ｆと排出口５０とを結ぶ経路である。搬送部２７は、搬入口４９から加熱ユニット１７に搬入される媒体１２を接続経路２６ｅ、上方経路２６ｆ、及び排出経路２６ｇの順に搬送する。すなわち、搬送部２７は、記録が行われた媒体１２を搬送して上方経路２６ｆを通過させ、媒体処理装置１４に向けて媒体１２を排出口５０から排出する。
【００３５】
第１加熱部４８は、加熱ユニット１７が記録ユニット１６に装着された状態で鉛直方向Ｚにおいて装着部４２より上方に位置する。第１加熱部４８は、上方経路２６ｆを搬送される媒体１２を加熱する。第１加熱部４８は、鉛直方向Ｚにおいて装着部４２と上方経路２６ｆとの間に設けてもよい。第１加熱部４８は、鉛直方向Ｚにおいて、少なくとも１つの第２液体収容部４１ｂと重なり、第１液体収容部４１ａとは重ならない位置に設けるのが好ましい。但し、少なくとも１つの第２液体収容部４１ｂおよび第１液体収容部４１ａと重なる位置に設けてもよい。
【００３６】
媒体処理装置１４は、液体吐出装置１３から排出される媒体１２を導入口５２から導入する。導入経路２６ｈは、導入口５２と処理部２３との間の経路である。第１導出経路２６ｉは、導入経路２６ｈから分岐し、導入経路２６ｈと第１導出口５３ａとを結ぶ経路である。媒体処理装置１４は、導入経路２６ｈから第１導出経路２６ｉに媒体１２を送るフラップ５４を備えてもよい。第２導出経路２６ｊは、処理部２３と第２導出口５３ｂとの間の経路である。
【００３７】
媒体処理装置１４は、液体吐出装置１３から送られる媒体１２を加熱する第２加熱部５５を備えてもよい。第２加熱部５５は、導入経路２６ｈを搬送される媒体１２を加熱する。第２加熱部５５は、水平方向Ｙにおいて導入経路２６ｈと液体吐出装置１３との間に設けてもよいし、水平方向Ｙにおいて導入経路２６ｈと装着部４２との間に設けてもよい。
【００３８】
記録システム１１は、記録システム１１の動作を制御する制御部５７を備える。記録システム１１は、１つの制御部５７により液体吐出装置１３及び媒体処理装置１４の双方を制御してもよいし、装置ごとに制御部５７を設けてもよい。制御部５７は、例えばＣＰＵ、メモリーなどを含んで構成される。制御部５７は、メモリーに記憶されるプログラムをＣＰＵが実行することにより、記録システム１１を制御する。
【００３９】
本実施形態の作用について説明する。
液体吐出装置１３は、ピックアップローラー２９を駆動してカセット２０に収容される媒体１２を給送する。搬送部２７は、媒体１２を上流経路２６ａ、記録経路２６ｂ、及び下流経路２６ｃの順に搬送し、媒体１２を加熱ユニット１７に送る。液体吐出ヘッド３４は、記録経路２６ｂを通過する媒体１２に記録する。
【００４０】
第１加熱部４８及び第２加熱部５５は、処理部２３が媒体１２に対して処理を行う場合に媒体１２を加熱してもよい。すなわち、処理部２３は、加熱された媒体１２に処理を行ってもよい。
【００４１】
具体的には、媒体１２に対して処理部２３による処理を行う場合、搬送部２７は、媒体１２を接続経路２６ｅ、上方経路２６ｆ、排出経路２６ｇ、導入経路２６ｈ、の順に搬送する。処理部２３を経由して第２導出経路２６ｊを搬送された媒体１２は、第２導出口５３ｂから導出されて第２積載部２４ｂに積載される。このとき、第１加熱部４８は、上方経路２６ｆを搬送される媒体１２を加熱する。第２加熱部５５は、導入経路２６ｈを搬送される媒体１２を加熱する。
【００４２】
媒体１２に対して処理部２３による処理を行わない場合、搬送部２７は、媒体１２を接続経路２６ｅ、上方経路２６ｆ、排出経路２６ｇ、導入経路２６ｈ、及び第１導出経路２６ｉの順に搬送する。このとき、第１加熱部４８及び第２加熱部５５は、媒体１２を加熱しなくてもよい。第１導出経路２６ｉを搬送されて第１導出口５３ａから導出される媒体１２は、第１積載部２４ａに積載される。
【００４３】
本実施形態の効果について説明する。
（１）搬送部２７により搬送される媒体１２は、装着部４２の上方に位置する上方経路２６ｆを搬送される際に、第１加熱部４８により加熱される。第１加熱部４８は、装着部４２より上方に設けられるため、第１加熱部４８により暖められて上昇する空気は、装着部４２に装着される液体収容部４１から離れるように移動する。したがって、媒体１２の乾燥を促進させつつ、液体収容部４１が過度に加熱される虞を低減できる。
【００４４】
（２）温度による粘度の変化が大きい液体を用いる場合、気温が低い状態では液体の粘度が高まる。そのため、液体収容部４１から液体吐出ヘッド３４に十分に液体を供給できない虞がある。その点、第１加熱部４８は、鉛直方向Ｚにおいて装着部４２と上方経路２６ｆとの間に設けられる。すなわち、第１加熱部４８により暖められた空気は上方に逃がしつつ、第１加熱部４８から放射される熱により液体収容部４１を適度に加熱でき、液体収容部４１に収容される液体の粘度を低下させることができる。
【００４５】
（３）第１加熱部４８が設けられる加熱ユニット１７は、記録ユニット１６に対して着脱可能である。したがって、例えば第１加熱部４８を交換する場合、加熱ユニット１７を記録ユニット１６から取り外すことで容易に交換できる。また、加熱ユニット１７を記録ユニット１６から取り外し、加熱ユニット１７が設けられていた領域を積載部として使用することにより、記録ユニット１６を単独で使用することもできるようになる。
【００４６】
（４）液体吐出ヘッド３４は、水平方向Ｙにおいて第１側面２１ａよりも第２側面２１ｂに近い位置で媒体１２に対して記録を行う。第１加熱部４８は、第２側面２１ｂよりも第１側面２１ａに近い位置に設けられる。すなわち、第１加熱部４８は、水平方向Ｙにおいて液体吐出ヘッド３４から離れて設けられるため、第１加熱部４８が液体吐出ヘッド３４を加熱して液体吐出ヘッド３４内の液体を蒸発させてしまう虞を低減できる。
【００４７】
（５）払拭部４４が加熱されると、払拭部４４に付着した液体が蒸発して増粘する虞がある。その点、待機位置に位置する払拭部４４は、装着部４２より下方に位置し、且つ鉛直方向Ｚにおいて装着部４２と重なる。すなわち、払拭部４４が待機位置に位置するとき、払拭部４４と第１加熱部４８との間には装着部４２が位置するため、装着部４２により払拭部４４の加熱を妨げることができる。
【００４８】
（６）キャップ４５が加熱されると、キャップ４５に付着した液体が蒸発して増粘する虞がある。その点、退避位置に位置するキャップ４５は、装着部４２より下方に位置し、鉛直方向Ｚにおいて装着部４２と重なる。すなわち、キャップ４５が退避位置に位置するとき、キャップ４５と第１加熱部４８との間には装着部４２が位置するため、装着部４２によりキャップ４５の加熱を妨げることができる。
【００４９】
（７）例えば、乾燥が不十分な状態で媒体１２を積載すると、媒体１２同士がずれてしまい、適切に処理できない虞がある。その点、処理部２３は、第１加熱部４８により加熱された媒体１２に処理を行う。したがって、処理を行う媒体１２の乾燥不足を抑制できる。
【００５０】
（８）媒体処理装置１４は、処理部２３により処理されない媒体１２を積載する第１積載部２４ａと、処理部２３により処理される媒体１２を積載する第２積載部２４ｂと、を有する。そのため、処理されない媒体１２と、処理された媒体１２と、を容易に仕分けることができる。
【００５１】
（９）媒体処理装置１４は、導入経路２６ｈを搬送される媒体１２を加熱する第２加熱部５５を備える。そのため、第１加熱部４８のみで媒体１２を加熱する場合に比べ、処理部２３により処理される媒体１２の乾燥不足を抑制できる。更に、第２加熱部５５は、水平方向Ｙにおいて導入経路２６ｈと液体吐出装置１３との間に設けてもよいし、水平方向Ｙにおいて導入経路２６ｈと装着部４２との間に設けてもよい。このようにすると、第２加熱部５５から放射される熱により液体収容部４１を適度に加熱でき、液体収容部４１に収容される液体の粘度を低下させることができる。
【００５２】
（１０）第１液体収容部４１ａに収容されるブラックインクは、文字の印刷に使用されることが多い。第２液体収容部４１ｂに収容されるカラーインクは、画像の印刷に使用されることが多い。そのため、カラーインクを使用する印刷において単位時間当たりに使用される液体の量は、ブラックインクを使用する印刷において単位時間当たりに使用される液体の量より多い傾向がある。その点、第１加熱部４８は、鉛直方向Ｚにおいて、第２液体収容部４１ｂの上方に位置すると共に、第１液体収容部４１ａから外れた位置に設けられる。そのため、第２液体収容部４１ｂは、第１液体収容部４１ａより加熱されやすい。第２液体収容部４１ｂに収容される液体は、第１液体収容部４１ａに収容される液体より粘度が低下して供給しやすくなり、液体の供給不足が生じる虞を低減できる。
【００５３】
本実施形態は、以下のように変更して実施することができる。本実施形態及び以下の変更例は、技術的に矛盾しない範囲で互いに組み合わせて実施することができる。
・図３に示す第１変更例のように、液体吐出装置１３は、記録ユニット１６と加熱ユニット１７を一体で構成してもよい。すなわち、第１加熱部４８は、筐体２１内に設けてもよい。この場合、下流経路２６ｃは、記録経路２６ｂと上方経路２６ｆとを結ぶ経路としてもよい。
【００５４】
・図４に示す第２変更例のように、液体吐出装置１３は、循環経路２６ｋを備えてもよい。循環経路２６ｋは、下流経路２６ｃと、上方経路２６ｆもしくは排出経路２６ｇとを接続する。接続経路２６ｅ、上方経路２６ｆ、排出経路２６ｇ、循環経路２６ｋ、第１加熱部４８、排出口５０を含む加熱ユニット１７が設けられる場合、循環経路２６ｋは、接続経路２６ｅと、上方経路２６ｆもしくは排出経路２６ｇとを接続する。循環経路２６ｋは、上方経路２６ｆを通過した媒体１２を搬送方向ＦＤにおいて上方経路２６ｆの上流に戻すための経路である。搬送部２７は、上方経路２６ｆを通過した媒体１２を循環経路２６ｋに送り、上方経路２６ｆを複数回通過させてもよい。上方経路２６ｆを通過させる回数は、例えば印刷デューティーに応じて設定してもよい。印刷デューティーとは、液体吐出ヘッド３４が媒体１２に対して液体を吐出する際の単位面積当たりの吐出量を示す平均吐出量を、最大吐出量を１００％として表される値である。印刷デューティーの値は、制御部５７が記録データを解析することで取得できる。制御部５７は、印刷デューティーが閾値以上である場合、媒体１２を循環させ、印刷デューティーが閾値より小さい場合、循環させなくてもよい。これにより、印刷デューティーが高い場合には乾燥を促進することができ、印刷デューティーが低い場合には消費電力を低減することができる。
【００５５】
・図５に示す第３変更例のように、液体吐出装置１３は、接続経路２６ｅから分岐する分岐経路２６ｌを備えてもよい。分岐経路２６ｌは、接続経路２６ｅと、第１排出口５０ａと、を結ぶ。排出経路２６ｇは、上方経路２６ｆと、第２排出口５０ｂと、を結ぶ。媒体処理装置１４には、第１排出口５０ａから排出された媒体１２を導入する第１導入口５２ａと、第２排出口５０ｂから排出された媒体１２を導入する第２導入口５２ｂと、を設けてもよい。第１導出経路２６ｉは、第１導入口５２ａと、第１導出口５３ａと、を結んでもよい。導入経路２６ｈは、第２導入口５２ｂと、処理部２３と、を結んでもよい。ここで、分岐経路２６ｌは、上方経路２６ｆから分岐するようにしてもよいし、排出経路２６ｇから分岐するようにしてもよい。いずれの場合でも、媒体処理装置１４内の搬送経路を簡略化することができる。
【００５６】
・図６に示す第４変更例のように、液体吐出装置１３は、分岐経路２６ｌを搬送される媒体１２を加熱する第３加熱部５９を備えてもよい。第３加熱部５９は、鉛直方向Ｚにおいて、分岐経路２６ｌと上方経路２６ｆとの間に設けられ、鉛直方向Ｚにおいて装着部４２の上方を搬送される媒体１２を加熱してもよい。これにより、処理を行わない媒体１２についても加熱することができる。
【００５７】
・図７に示す第５変更例のように、分岐経路２６ｌは、上方経路２６ｆに合流させてもよい。分岐経路２６ｌは、排出経路２６ｇに合流させてもよい。分岐経路２６ｌを搬送される媒体１２は、上方経路２６ｆもしくは排出経路２６ｇに合流し、排出口５０及び導入口５２を介して媒体処理装置１４に送られてもよい。搬送方向ＦＤにおいて、分岐経路２６ｌの長さは、媒体１２の長さより長くしてもよい。記録システム１１は、処理を行う媒体１２を分岐経路２６ｌにおいて待機させてもよい。すなわち、分岐経路２６ｌをバッファとして使用してもよい。これにより、媒体処理装置１４の処理部２３において処理が行われている時でも、記録ユニット１６内で媒体１２を搬送させることができる。
【００５８】
・図８に示す第６変更例のように、分岐経路２６ｌは、下流経路２６ｃから分岐させてもよい。分岐経路２６ｌは、下流経路２６ｃと第１排出口５０ａとを結ぶ経路としてもよい。
【００５９】
・記録システム１１は、第１加熱部４８のみを設ける構成としてもよいし、第３加熱部５９のみを設ける構成としてもよい。第３加熱部５９は、上方経路２６ｆを搬送される媒体１２及び分岐経路２６ｌを搬送される媒体１２の両方を加熱してもよい。
【００６０】
・第１加熱部４８〜第３加熱部５９は、媒体１２に温風を当てて媒体１２を加熱してもよいし、媒体１２と接触して加熱する加熱ローラーや加熱台としてもよいし、放射熱により媒体１２を加熱してもよい。第１加熱部４８〜第３加熱部５９は、それぞれ異なる方法で媒体１２を加熱してもよい。
【００６１】
・媒体処理装置１４は、媒体１２を積載する積載部を１つ備える構成としてもよい。すなわち、媒体処理装置１４は、処理部２３により処理された媒体１２と、処理されない媒体１２と、を同じ積載部に積載してもよい。この場合、処理を行う媒体１２は処理部２３において処理を行ってから積載部に積載し、処理を行わない媒体１２は処理部２３において処理を行わずに通過させて積載部に積載するようにしてもよい。これにより、媒体処理装置１４内の搬送経路を簡略化することができる。
【００６２】
・第１加熱部４８は、処理部２３による処理を行うか否かにかかわらず、上方経路２６ｆを搬送される媒体１２を加熱してもよい。
・第２加熱部５５は、処理部２３による処理を行うか否かにかかわらず、導入経路２６ｈを搬送される媒体１２を加熱してもよい。
【００６３】
・第１加熱部４８及び第２加熱部５５は、加熱の強さを変更可能としてもよい。例えば、液体吐出装置１３は、処理部２３による処理を行う媒体１２に対する加熱を、処理部２３による処理を行わない媒体１２に対する加熱より強くしてもよいし、印刷デューティーが閾値以上の記録データを記録した媒体１２に対する加熱を、印刷デューティーが閾値未満の記録データを記録した媒体１２に対する加熱より強くしてもよい。ここで、閾値とは、例えば３０％である。
【００６４】
・閉空間形成位置と退避位置とを移動するキャップ４５は、鉛直方向Ｚにおいて装着部４２から外れた位置を移動してもよい。
・払拭部４４は、鉛直方向Ｚにおいて装着部４２から外れた位置を移動して液体吐出ヘッド３４を払拭してもよい。
【００６５】
・液体吐出ヘッド３４は、水平方向Ｙにおいて第２側面２１ｂよりも第１側面２１ａに近い位置で媒体１２に記録を行ってもよい。第１加熱部４８は、水平方向Ｙにおいて、第１側面２１ａよりも第２側面２１ｂに近い位置に設けられてもよい。
【００６６】
・加熱ユニット１７は、記録ユニット１６が有する筐体２１の内部に設けてもよい。
・第１加熱部４８は、鉛直方向Ｚにおいて上方経路２６ｆより上方に設けてもよい。
・処理部２３が行う処理は、以下に示す処理としてもよい。媒体１２に穴を開けるパンチ処理。媒体１２を部単位でずらして排出するシフト処理。媒体１２を裁断する裁断処理。媒体１２を切断する切断処理。媒体１２を折り畳む折丁処理。媒体１２を製本する製本処理や丁合処理。媒体１２を乾燥させる乾燥処理。媒体１２に記録された情報を読み取る読取処理。媒体１２を搬送する搬送処理。
【００６７】
・記録システム１１は、記録された媒体１２に対して複数の処理を行ってもよい。記録システム１１は、複数の媒体処理装置１４を備えてもよい。例えば、記録システム１１は、媒体１２に液体を吐出して記録を行う液体吐出装置１３と、記録された媒体１２を搬送する搬送処理を行う装置と、媒体１２にステープラー処理を行う媒体処理装置１４と、を備えてもよい。例えば、記録システム１１は、媒体１２に液体を吐出して記録を行う液体吐出装置１３と、記録された媒体１２の表裏を反転する反転処理を行う装置と、媒体１２にステープラー処理を行う媒体処理装置１４と、を備えてもよい。
【００６８】
・液体吐出装置１３は、インク以外の他の液体を噴射したり吐出したりする液体吐出装置であってもよい。液体吐出装置から微小量の液滴となって吐出される液体の状態としては、粒状、涙状、糸状に尾を引くものも含むものとする。ここでいう液体は、液体吐出装置から吐出させることができるような材料であればよい。例えば、液体は、物質が液相であるときの状態のものであればよく、粘性の高い又は低い液状体、ゾル、ゲル水、その他の無機溶剤、有機溶剤、溶液、液状樹脂、液状金属、金属融液、のような流状体を含むものとする。液体は、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体吐出装置の具体例としては、例えば、液晶ディスプレイ、エレクトロルミネッセンスディスプレイ、面発光ディスプレイ、カラーフィルターの製造等に用いられる電極材や色材等の材料を分散又は溶解のかたちで含む液体を吐出する装置がある。液体吐出装置は、バイオチップ製造に用いられる生体有機物を吐出する装置、精密ピペットとして用いられ試料となる液体を吐出する装置、捺染装置やマイクロディスペンサー等であってもよい。液体吐出装置は、時計やカメラ等の精密機械にピンポイントで潤滑油を吐出する装置、光通信素子等に用いられる微小半球レンズ、光学レンズ、などを形成するために紫外線硬化樹脂等の透明樹脂液を基板上に吐出する装置であってもよい。液体吐出装置は、基板などをエッチングするために酸又はアルカリ等のエッチング液を吐出する装置であってもよい。
【００６９】
以下に、上述した実施形態及び変更例から把握される技術的思想及びその作用効果を記載する。
（Ａ）液体吐出装置は、搬送経路に沿って媒体を搬送する搬送部と、搬送される前記媒体に対してノズルから液体を吐出して記録を行う液体吐出ヘッドと、前記液体吐出ヘッドに供給する前記液体を収容する液体収容部が装着される装着部と、前記記録が行われた前記媒体を加熱する加熱部と、を備え、前記搬送経路は、鉛直方向において前記装着部の上方に位置する上方経路を含み、前記搬送部は、前記記録が行われた前記媒体を搬送して前記上方経路を通過させ、該媒体に対して処理を行う媒体処理装置に向けて該媒体を排出口から排出し、前記加熱部は、前記鉛直方向において前記装着部より上方に設けられ、前記上方経路を搬送される前記媒体を加熱する。
【００７０】
この構成によれば、搬送部により搬送される媒体は、装着部の上方に位置する上方経路を搬送される際に、加熱部により加熱される。加熱部は、装着部より上方に設けられるため、加熱部により暖められて上昇する空気は、装着部に装着される液体収容部から離れるように移動する。したがって、媒体の乾燥を促進させつつ、液体収容部が過度に加熱される虞を低減できる。
【００７１】
（Ｂ）液体吐出装置において、前記加熱部は、前記鉛直方向において前記装着部と前記上方経路との間に設けられてもよい。
温度による粘度の変化が大きい液体を用いる場合、気温が低い状態では液体の粘度が高まる。そのため、液体収容部から液体吐出ヘッドに十分に液体を供給できない虞がある。その点、この構成によれば、加熱部は、鉛直方向において装着部と上方経路との間に設けられる。すなわち、加熱部により暖められた空気は上方に逃がしつつ、加熱部から放射される熱により液体収容部を適度に加熱でき、液体収容部に収容される液体の粘度を低下させることができる。
【００７２】
（Ｃ）液体吐出装置は、前記加熱部、前記上方経路および前記排出口を含んで構成される加熱ユニットと、前記液体吐出ヘッドを含んで構成される記録ユニットと、を有し、前記搬送経路は、前記液体吐出ヘッドにより前記記録が行われる記録経路と、前記搬送部が前記媒体を搬送する搬送方向において前記記録経路より下流に位置する下流経路と、前記下流経路と前記上方経路とを結ぶ接続経路と、を含み、前記加熱ユニットは、前記記録ユニットに対して着脱可能であり、前記加熱ユニットが含む前記接続経路は、前記記録ユニットが含む前記下流経路に対して切り離し可能に接続されてもよい。
【００７３】
この構成によれば、加熱部が設けられる加熱ユニットは、記録ユニットに対して着脱可能である。したがって、例えば加熱部を交換する場合、加熱ユニットを記録ユニットから取り外すことで容易に交換できる。
【００７４】
（Ｄ）液体吐出装置は、前記液体吐出ヘッドを収容する筐体をさらに備え、前記筐体は、第１側面と、水平方向において前記第１側面とは反対の第２側面と、を有し、前記液体吐出ヘッドは、前記水平方向において前記第１側面よりも前記第２側面に近い位置で前記媒体に対して前記記録を行い、前記加熱部は、前記水平方向において前記第２側面よりも前記第１側面に近い位置に設けられてもよい。
【００７５】
この構成によれば、液体吐出ヘッドは、水平方向において第１側面よりも第２側面に近い位置で媒体に対して記録を行う。加熱部は、第２側面よりも第１側面に近い位置に設けられる。すなわち、加熱部は、水平方向において液体吐出ヘッドから離れて設けられるため、加熱部が液体吐出ヘッドを加熱して液体吐出ヘッド内の液体を蒸発させてしまう虞を低減できる。
【００７６】
（Ｅ）液体吐出装置は、前記液体吐出ヘッドを払拭可能な払拭部をさらに備え、前記払拭部は、前記液体吐出ヘッドと相対移動して前記液体吐出ヘッドを払拭し、前記払拭部が前記液体吐出ヘッドから離れて待機する待機位置は、前記鉛直方向において前記装着部より下方に位置し、前記待機位置に位置する前記払拭部は、前記鉛直方向において前記装着部と重なってもよい。
【００７７】
払拭部が加熱されると、払拭部に付着した液体が蒸発して増粘する虞がある。その点、この構成によれば、待機位置に位置する払拭部は、装着部より下方に位置し、且つ鉛直方向において装着部と重なる。すなわち、払拭部が待機位置に位置するとき、払拭部と加熱部との間には装着部が位置するため、装着部により払拭部の加熱を妨げることができる。
【００７８】
（Ｆ）液体吐出装置は、前記液体吐出ヘッドとの間に前記ノズルが開口する閉空間を形成可能なキャップをさらに備え、前記キャップは、前記閉空間を形成する閉空間形成位置と、該閉空間形成位置から離れる退避位置と、の間を移動可能であり、前記退避位置は、前記鉛直方向において前記装着部より下方に位置し、前記退避位置に位置する前記キャップは、前記鉛直方向において前記装着部と重なってもよい。
【００７９】
キャップが加熱されると、キャップに付着した液体が蒸発して増粘する虞がある。その点、この構成によれば、退避位置に位置するキャップは、装着部より下方に位置し、鉛直方向において装着部と重なる。すなわち、キャップが退避位置に位置するとき、キャップと加熱部との間には装着部が位置するため、キャップにより払拭部の加熱を妨げることができる。
【００８０】
（Ｇ）記録システムは、媒体に対して記録を行う液体吐出装置と、前記液体吐出装置により前記記録が行われた前記媒体に対して処理を行う処理部を備える媒体処理装置と、を備え、前記液体吐出装置は、搬送経路に沿って前記媒体を搬送する搬送部と、搬送される前記媒体に対してノズルから液体を吐出して前記記録を行う液体吐出ヘッドと、前記液体吐出ヘッドに供給する前記液体を収容する液体収容部が装着される装着部と、前記記録が行われた前記媒体を加熱する加熱部と、を有し、前記搬送経路は、鉛直方向において前記装着部の上方に位置する上方経路を含み、前記搬送部は、前記記録が行われた前記媒体を搬送して前記上方経路を通過させ、前記媒体処理装置に向けて該媒体を排出口から排出し、前記加熱部は、前記鉛直方向において前記装着部より上方に設けられ、前記上方経路を搬送される前記媒体を加熱する。この構成によれば、上記液体吐出装置と同様の効果を奏することができる。
【００８１】
（Ｈ）記録システムにおいて、前記液体吐出装置は、前記加熱部、前記上方経路および前記排出口を含んで構成される加熱ユニットと、前記液体吐出ヘッドを含んで構成される記録ユニットと、を有し、前記搬送経路は、前記液体吐出ヘッドにより前記記録が行われる記録経路と、前記搬送部が前記媒体を搬送する搬送方向において前記記録経路より下流に位置する下流経路と、前記下流経路と前記上方経路とを結ぶ接続経路と、を含み、前記加熱ユニットは、前記記録ユニットに対して着脱可能であり、前記加熱ユニットが含む前記接続経路は、前記記録ユニットが含む前記下流経路に対して切り離し可能に接続されてもよい。この構成によれば、上記液体吐出装置と同様の効果を奏することができる。
【００８２】
（Ｉ）記録システムにおいて、前記加熱部は、前記鉛直方向において前記装着部と前記上方経路との間に設けられてもよい。この構成によれば、上記液体吐出装置と同様の効果を奏することができる。
【００８３】
（Ｊ）記録システムにおいて、前記液体吐出装置は、前記液体吐出ヘッドを収容する筐体をさらに有し、前記筐体は、第１側面と、水平方向において前記第１側面とは反対の第２側面と、を有し、前記液体吐出ヘッドは、前記水平方向において前記第１側面よりも前記第２側面に近い位置で前記媒体に対して前記記録を行い、前記加熱部は、前記水平方向において前記第２側面よりも前記第１側面に近い位置に設けられてもよい。この構成によれば、上記液体吐出装置と同様の効果を奏することができる。
【００８４】
（Ｋ）記録システムにおいて、前記液体吐出装置は、前記液体吐出ヘッドを払拭可能な払拭部をさらに有し、前記払拭部は、前記液体吐出ヘッドと相対移動して該液体吐出ヘッドを払拭し、前記払拭部が前記液体吐出ヘッドから離れて待機する待機位置は、前記鉛直方向において前記装着部より下方に位置し、前記待機位置に位置する前記払拭部は、前記鉛直方向において前記装着部と重なってもよい。この構成によれば、上記液体吐出装置と同様の効果を奏することができる。
【００８５】
（Ｌ）記録システムにおいて、前記液体吐出装置は、前記ノズルが開口する閉空間を形成可能なキャップをさらに有し、前記キャップは、前記閉空間を形成する閉空間形成位置と、該閉空間形成位置から離れる退避位置と、の間を移動可能であり、前記退避位置は、前記鉛直方向において前記装着部より下方に位置し、前記退避位置に位置する前記キャップは、前記鉛直方向において前記装着部と重なってもよい。この構成によれば、上記液体吐出装置と同様の効果を奏することができる。
【００８６】
（Ｍ）記録システムにおいて、前記加熱部は、前記処理部が前記媒体に対して前記処理を行う場合に前記媒体を加熱し、前記処理部は、加熱された前記媒体に前記処理を行ってもよい。
【００８７】
例えば、乾燥が不十分な状態で媒体を積載すると、媒体同士がずれてしまい、適切に処理できない虞がある。その点、この構成によれば、処理部は、加熱部により加熱された媒体に処理を行う。したがって、処理を行う媒体の乾燥不足を抑制できる。
【００８８】
（Ｎ）記録システムにおいて、前記媒体処理装置は、前記媒体のうち、前記処理部による前記処理が実行されない媒体を積載する第１積載部と、前記処理部により前記処理が実行された媒体を積載する第２積載部と、を有してもよい。
【００８９】
この構成によれば、媒体処理装置は、処理部により処理されない媒体を積載する第１積載部と、処理部により処理される媒体を積載する第２積載部と、を有する。そのため、処理されない媒体と処理された媒体と、を容易に仕分けることができる。
【００９０】
（Ｏ）記録システムは、前記加熱部を第１加熱部としたとき、前記媒体処理装置は、前記液体吐出装置から排出される前記媒体を導入する導入口と前記処理部との間の導入経路を搬送される前記媒体を加熱する第２加熱部を有してもよい。
【００９１】
この構成によれば、媒体処理装置は、導入経路を搬送される媒体を加熱する第２加熱部を備える。そのため、第１加熱部のみで媒体を加熱する場合に比べ、処理部により処理される媒体の乾燥不足を抑制できる。
【符号の説明】
【００９２】
１１…記録システム、１２…媒体、１３…液体吐出装置、１４…媒体処理装置、１６…記録ユニット、１７…加熱ユニット、１９…操作部、２０…カセット、２１…筐体、２１ａ…第１側面、２１ｂ…第２側面、２３…処理部、２４ａ…第１積載部、２４ｂ…第２積載部、２６…搬送経路、２６ａ…上流経路、２６ｂ…記録経路、２６ｃ…下流経路、２６ｄ…反転経路、２６ｅ…接続経路、２６ｆ…上方経路、２６ｇ…排出経路、２６ｈ…導入経路、２６ｉ…第１導出経路、２６ｊ…第２導出経路、２６ｋ…循環経路、２６ｌ…分岐経路、２７…搬送部、２９…ピックアップローラー、３０…搬送ローラー対、３１…搬送モーター、３３…ノズル、３４…液体吐出ヘッド、３５…ノズル形成面、３６…保持部、３７…回転軸、３９…搬出口、４１…液体収容部、４１ａ…第１液体収容部、４１ｂ…第２液体収容部、４２…装着部、４４…払拭部、４５…キャップ、４６…支持部、４８…第１加熱部、４９…搬入口、５０…排出口、５０ａ…第１排出口、５０ｂ…第２排出口、５２…導入口、５２ａ…第１導入口、５２ｂ…第２導入口、５３ａ…第１導出口、５３ｂ…第２導出口、５４…フラップ、５５…第２加熱部、５７…制御部、５９…第３加熱部、ＦＤ…搬送方向、ＪＰ…吐出位置、ＭＰ…メンテナンス位置、Ｘ…幅方向、Ｙ…水平方向、Ｚ…鉛直方向。
【図１】
2020192779.tif 000003
【図２】
2020192779.tif 000004
【図３】
2020192779.tif 000005
【図４】
2020192779.tif 000006
【図５】
2020192779.tif 000007
【図６】
2020192779.tif 000008
【図７】
2020192779.tif 000009
【図８】
2020192779.tif 000010